(57)【要約】【課題】  携帯電話端末における、複雑な操作である写真、位置情報等の送信及び取得を簡素化します。【解決手段】  データ通信、ＧＰＳ機能又は基地局を元にしたエリア情報機能及び写真撮影機能を保有する利用者携帯電話端末と、該利用者端末との間でデータを送受信する情報提供システムに於いて、前記情報提供システムは、利用者ごとに該利用者がカメラとＧＰＳの機能を有する携帯電話端末のアプリケーションによって撮影したその場所の位置情報と写真と利用者毎の特定ができるＩＤを取得し、各種利用者端末からの要求によって該データベースにデータを記憶又は削除する機能を有し、該データベースに記憶されている位置情報と写真が各種利用者端末に表示される位置情報取得システム。【選択図】図１
2010147703.tif 000002
【特許請求の範囲】
【請求項１】
データ通信、ＧＰＳ機能又は基地局を元にしたエリア情報機能及び写真撮影機能を保有する利用者携帯電話端末と、該利用者端末との間でデータを送受信する情報提供システムに於いて、前記情報提供システムは、利用者ごとに該利用者がカメラとＧＰＳの機能を有する携帯電話端末のアプリケーションによって撮影したその場所の位置情報と写真と利用者毎の特定ができるＩＤを取得し、各種利用者端末からの要求によって該データベースにデータを記憶又は削除する機能を有し、該データベースに記憶されている位置情報と写真が各種利用者端末に表示される位置情報取得システム。
【請求項２】
請求項１に記載の位置情報取得システムに於いて、前記情報提供システムは、前記利用者端末からの要求によって、前記データベースに記憶された（カメラによって撮影された）画像をＷｅｂページに表示させる機能を有するＷｅｂページ閲覧方法。
【請求項３】
請求項１及び２に記載の位置情報取得システムに於いて、前記情報提供システムは、前記利用者端末からの要求によって、前記データベースに記憶されたＧＰＳ機能又は基地局を元にしたエリア情報機能によって取得された位置情報をＷｅｂページに表示させる機能を有するＷｅｂページ閲覧方法。
【請求項４】
請求項１に記載のＧＰＳ機能又は基地局を元にしたエリア情報機能と写真撮影機能に於いて、取得した位置情報に複数枚の画像を同時追加することを特徴とする記憶媒体。
【請求項５】
請求項１に記載の位置情報取得システムに於いて、該データベースに記憶する際、付加情報(コメントや、ユーザー情報等を指す)を同時に記憶させる機能を有する記憶媒体。
【請求項６】
請求項１及び４に記載の位置情報取得システムに於いて、撮影した写真を送信する際に、送信容量を超えた高画質画像を分割して送信し、該データベースに記憶する際、結合して保存する機能を有する記憶媒体。
【請求項７】
請求項１の情報提供システムに於いて、各種情報の入った設定ファイルを介してアプリケーションの接続先や付加情報の追加や削除、変更を行うことができる機能を持つ情報提供システム。
【発明の詳細な説明】
【技術分野】
【０００１】
本発明は、データ通信、ＧＰＳ機能又は基地局を元にしたエリア情報機能及び写真撮影機能を保有する利用者携帯電話端末と、該利用者端末との間でデータを送受信する情報提供システムに於いて、前記情報提供システムは、利用者ごとに該利用者がカメラとＧＰＳ機能又は基地局を元にしたエリア情報の機能を有する携帯電話端末のアプリケーションによって撮影したその場所の位置情報と写真と利用者毎の特定ができるＩＤを取得し、各種利用者端末からの要求によって該データベースにデータを記憶又は削除する機能を有し、該データベースに記憶されている位置情報と写真が各種利用者端末に表示される位置情報取得システムに関する。
【背景技術】
【０００２】
従来の位置情報取得システム及び位置情報送信方法は、それぞれ単体で独立して利用されるものが多い。例えば、現在のＧＰＳ機能を持つ携帯電話に付加されている位置情報取得機能を利用した位置情報送信です。位置情報送信は、携帯電話に搭載されているカメラを起動させて、撮影を行った時に、その撮影した画像にＧＰＳによる位置情報を付加させます。位置情報の記憶された画像をメールに添付するときに、メール本文に画像に記憶されているＧＰＳによる位置情報を付加してしまうものとしないものがあります。付加しないものなら本文にコメント等を付加して送信することができ、受信するＷｅｂは送信者のメールアドレス、画像及び画像に付加されている情報による位置情報の取得ができます。
【０００３】
別の従来の位置情報取得システム及び位置情報送信方法の例も記述します。まずＷｅｂを起動してＧＰＳによる位置情報を取得し、コメント等の情報を入力します。その後Ｗｅｂに用意されているボタンを押下することによりメールを送信する画面を起動させることができます。送信先アドレスは専用の特定する要素の入ったものか、アドレスは同じだが本文に入力した個人を特定する為の情報を付加し、送信することにより情報を獲得します。
【特許文献１】特開２００４−１０４７４３
【特許文献２】特開２００４−３５７２２２
【特許文献３】特開２００８−２０５７５５
【発明の開示】
【発明が解決しようとする課題】
【０００４】
従来の位置情報取得システム及び位置情報送信方法は、メールの送信を利用しているものが多くメールアドレスを知られてしまうのは使用者にとって好ましい事ではなく、使用するのを躊躇わせてしまう。
【０００５】
従来の位置情報取得システム及び位置情報送信方法では、画面が切り替わる工程が多く、余分な操作が多い為気軽に使用できるものではない。
【０００６】
従来の位置情報取得システム及び位置情報送信方法は１回の携帯電話端末で送信できるデータ量に限りがある為、低画質の画像しか送信することができません。
【０００７】
従来の位置情報取得システム及び位置情報送信方法は１回の通信につき１枚の画像しか送付することができません。
【０００８】
ＧＰＳによる位置情報取得機能を持つ携帯電話端末が一般に普及していますが、その機能を持たない携帯電話端末も少なからず存在します。ＧＰＳによる位置情報取得機能を持たない携帯電話端末は、従来の位置情報取得システムでは利用できません。
【０００９】
従来の方法ではアプリケーション内に各種接続先や設定情報を入れる場合が多用に見られます。この場合、接続先を追加及び変更をする度に新しいアプリケーションをインストールするか、アップデートする手間が発生してしまいます。
【発明の効果】
【００１０】
本発明の位置情報取得アプリケーションによれば、メールアドレスを知られることもなく、画面の切り替わりの煩わしさもなく、高画質な画像データを送付することもでき、同時に複数枚の画像を送付することもでき、ＧＰＳに未対応の機種でもメーカーによっては使用することができ、各種情報の入った設定ファイルを介してアプリケーションの接続先や付加情報の追加や削除、変更を行うことができるという効果があります。
【発明を実施するための最良の形態】
【００１１】
上記課題を解決する為に本発明は、データ通信、ＧＰＳ機能又は基地局を元にしたエリア情報機能及び写真撮影機能を保有する利用者携帯電話端末と、該利用者端末との間でデータを送受信する情報提供システムに於いて、前記情報提供システムは、利用者ごとに該利用者がカメラとＧＰＳの機能を有する携帯電話端末のアプリケーションによって撮影したその場所の位置情報と写真と利用者毎の特定ができるＩＤを取得し、各種利用者端末からの要求によって該データベースにデータを記憶又は削除する機能を有し、該データベースに記憶されている位置情報と写真が各種利用者端末に表示される機能を持つ位置情報取得システムを持ちます。
【００１２】
また、前記情報提供システムは、前記利用者端末からの要求によって、前記データベースに記憶された（カメラによって取得された）画像をＷｅｂページに表示させる機能を持ちます。
【００１３】
また、前記情報提供システムは、前記利用者端末からの要求によって、前記データベースに記憶されたＧＰＳ機能又は基地局を元にしたエリア情報機能によって取得された位置情報をＷｅｂページに表示させる機能を持ちます。
【００１４】
また、ＧＰＳ機能又は基地局を元にしたエリア情報機能と写真撮影機能に於いて、取得した位置情報と複数枚の画像を同時に送信できることを特徴とします。
【００１５】
また、前記位置情報取得システムに於いて、該データベースに記憶する際、付加情報(コメントや、ユーザー情報等を指す)を同時に記憶させる機能を持ちます。
【００１６】
前記位置情報取得システムに於いて、撮影した写真が送信できる容量を超えた高画質画像の場合、分割して送信し、該データベースに記憶する際、結合して保存する機能を持ちます。
【００１７】
前記情報提供システムに於いて、各種情報の入った設定ファイルを介してアプリケーションの接続先や付加情報の追加や削除、変更を行うことができる機能を持ちます。
【００１８】
以下、本発明の実施の形態を図面を参照して説明します。以下の形態は、本発明の一態様を示すものです。
【００１９】
図１は本発明による位置情報取得アプリケーションの全体図です。２０１は一般的な携帯電話端末におけるアプリケーションの起動画面であり、インターネット等のネットワークに接続でき、データ通信、ＧＰＳ機能又は基地局を元にしたエリア情報機能及び写真撮影機能を有するものとします。
【００２０】
１０１には送信する前の撮影した画像の枚数が表示されます。１０２は撮影した画像が表示されます。１０２には撮影した画像が順番に表示されます。１０３は新しく撮影する画像のサイズを選択します。押下することにより携帯電話端末の持つ写真撮影機能を起動し、撮影することができます。１０４はコメントを入力する部分です。１０５は送信ボタンで、押下することにより１０７の送信動作に移行します。１０６はクリアボタンで、押下することにより今までの写真データを削除することができます。
【００２１】
２０２は送信後の携帯電話端末の画面です。１０７によって送信された結果が表示されます。１１１にはＧＰＳ又は基地局を元にしたエリア情報機能により取得した位置情報が表示されます。１１２はその位置と周辺を示す画像が表示されます。１１３は１０２によって撮影された画像が表示されます。１１４には１０４で入力されたコメントが表示されます。
【００２２】
３０１は携帯電話端末です。このまま携帯電話端末で位置情報や画像等を閲覧や編集等をすることが可能です。周辺で同じく利用されて登録された他の位置情報及び画像、コメント等も表示されます。場所やコメント等のキーワードを元にそれに該当する位置情報に遷移させることもできます。
【００２３】
３０２はＰＣ端末です。閲覧や編集等はこちらでも可能です。送信されたＰＣ向けの高画質画像を表示するのに適しています。
【００２４】
図２は撮影した写真を送信する際に、送信容量を超えた高画質画像を分割して送信し、該データベースに記憶する際、結合して保存する機能についての図である。４０１は携帯電話端末で送信することのできないデータ量の画像とします。
【００２５】
画像４０１を送信できるデータ量の画像になるように分割します。これは４０３、４０４のように１枚の画像が複数になっても構わないものとします。分割された画像４０２はそれぞれ複数回に分けて送信されます。
【００２６】
受信側は分割された画像データ４０３、４０４を４０５画像のように同じ順番で並べて結合することにより受信された画像４０６は送信元の画像４０１と同じものです。
【００２７】
図３は各種情報の入った設定ファイルを介してアプリケーションの接続や付加情報の追加や削除、変更を行うことができる機能についての図です。
【００２８】
アプリケーション５０１と５０２はどちらも各種情報の入った設定ファイルを介してアプリケーションの接続や付加情報の追加や削除、変更を行うことができる機能のない場合の図です。５０１は５１１のＷｅｂサイトに、５０２は５１２のＷｅｂサイトにそれぞれアクセスできます。この方法の場合、アプリケーションにそれぞれ別の設定がされています。携帯電話端末のアプリケーションはパッケージ化されている為、アクセスするＷｅｂサイトや内部構造もアプリケーションをインストールし直すか、アップデートしない限り変更はできません。
【００２９】
各種情報の入った設定ファイルを介してアプリケーションの接続や付加情報の追加や削除、変更を行うことができる機能がある場合のアプリケーションが５０３です。５２０が設定ファイルです。
【００３０】
アプリケーション５０３の設定を設定ファイル５２０にアクセスすることにより取得し、その設定ファイルの内容に準じてアクセスするＷｅｂサイトを５１３、５１４のように自由に変更することも、表示画面構造の変更ができます。
【産業上の利用可能性】
【００３１】
上述のように、データ通信、ＧＰＳ機能又は基地局を元にしたエリア情報機能及び写真撮影機能を保有する利用者携帯電話端末と、該利用者端末との間でデータを送受信する情報提供システムに於いて、前記情報提供システムは、利用者ごとに該利用者がカメラとＧＰＳの機能を有する携帯電話端末のアプリケーションによって撮影した場所の位置情報と写真と利用者毎の特定ができるＩＤを取得し、各種利用者端末からの要求によって該データベースにデータを記憶又は削除する機能を有し、該データベースに記憶されている位置情報と写真が各種利用者端末に表示されることにより、携帯電話端末の複雑な操作になる写真、位置情報等の送信及び取得を簡素化します。簡素化されることで、様々な分野で使用されることが期待され、メールアドレスを知られる心配もなくなるので使用者の増加も期待ができます。
【図面の簡単な説明】
【００３２】
【図１】本発明のシステムを表す図です。
【図２】送信容量を超えた高画質画像の送信方法についての図です。
【図３】設定ファイルを介してアプリケーションの接続や付加情報の追加や削除、変更を行う方法についての図です。
【図４】本発明に関する部分のフローチャートです。
【符号の説明】
【００３３】
１０１    撮影枚数表示
１０２    撮影画像表示
１０３    画質選択及び撮影ボタン
１０４    コメント入力欄
１０５    送信ボタン
１０６    クリアボタン
１０７    送信
１１１    位置情報
１１２    位置周辺地図画像
１１３    撮影した画像
１１４    入力されたコメント
１１５    閲覧表現
１１６    閲覧表現
２０１    アプリケーション起動画面
２０２    アプリケーション送信後画面
３０１    携帯電話端末
３０２    ＰＣ端末
４０１    大容量画像ファイル
４０２    分割画像
４０３    分割された画像2
４０４    分割された画像1
４０５    分割された画像1と2
４０６    大容量画像ファイル
５０１    アプリケーションa1
５０２    アプリケーションa2
５０３    アプリケーションb
５１１    アプリケーションa1でアクセスするＷｅｂサイト1
５１２    アプリケーションa2でアクセスするＷｅｂサイト2
５１３    アプリケーションbでアクセスするＷｅｂサイト1
５１４    アプリケーションbでアクセスするＷｅｂサイト2
５２０    設定ファイル
【図１】
2010147703.tif 000003
【図２】
2010147703.tif 000004
【図３】
2010147703.tif 000005
【図４】
2010147703.tif 000006